【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストすることと、
１つまたは複数のユーザ機器（ＵＥ）との通信を処理するために適切な第２のサブフレーム構成を決定することと、
前記１つまたは複数のＵＥに前記第２のサブフレーム構成のインジケーションをシグナリングすること、前記第２のサブフレーム構成は、前記第１のサブフレーム構成に基づいて決定された限られた数の有効サブフレーム構成から選択されることを特徴とする、と
を備える方法。
【請求項２】
１つまたは複数のＵＥとの前記通信は、ＵＥのためのダウンリンクデータのバーストを備え、前記第２のサブフレーム構成は、前記第１のサブフレーム構成よりも多くのダウンリンク送信用サブフレームを備える、または
１つまたは複数のＵＥとの前記通信は、ＵＥからのアップリンクデータのバーストを備え、前記第２のサブフレーム構成は、前記第１のサブフレーム構成よりも多くのアップリンク送信用サブフレームを備える、請求項１に記載の方法。
【請求項３】
ダウンリンクデータ送信に応答したハイブリッド自動再送要求（ＨＡＲＱ）応答のためのアップリンクサブフレーム、アップリンクデータ送信のためのアップリンクサブフレーム、およびアップリンクデータ送信に応答したＨＡＲＱ応答または制御チャネルのためのダウンリンクサブフレームのうちの１つのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、請求項１に記載の方法。
【請求項４】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信することと、
基地局との通信を処理するために適切な第２のサブフレーム構成を示すシグナリングを受信することと、
前記第２のサブフレーム構成に従って前記基地局と通信することと
を備え、
前記第２のサブフレーム構成は、前記第１のサブフレーム構成に基づいて決定された限られた数の有効サブフレーム構成から選択されることを特徴とする、
方法。
【請求項５】
前記第２のサブフレーム構成は、サブフレーム構成を含む別のブロードキャスト情報ブロックメッセージを受信する前にシグナリングされる、請求項１または４に記載の方法。
【請求項６】
前記第２のサブフレーム構成は、専用シグナリングを介してシグナリングされる、請求項１または５に記載の方法。
【請求項７】
前記第２のサブフレーム構成は、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、請求項１または６に記載の方法。
【請求項８】
前記シグナリングは、前記第２のサブフレーム構成を利用するための持続時間のインジケーション、または前記第２のサブフレーム構成がいつ用いられるかのインジケーションも提供する、請求項１または４に記載の方法。
【請求項９】
前記第２のサブフレーム構成を示すための前記制御チャネル送信の少なくとも１つの物理レイヤ特性は、前記第２のサブフレーム構成に基づく、請求項１または４に記載の方法。
【請求項１０】
前記制御チャネル送信は、制御チャネル復号候補のセットを備え、前記復号候補の第１のサブセットの少なくとも１つの物理レイヤ特性は、前記第２のサブフレーム構成に基づく一方、前記復号候補の第２のサブセットの物理レイヤ特性は、前記第２のサブフレーム構成に基づかない、請求項１または９に記載の方法。
【請求項１１】
データチャネル送信または制御チャネル送信の少なくとも１つの１つまたは複数の部分の少なくとも１つの物理レイヤ特性は、前記第２のサブフレーム構成に基づく、請求項１または４に記載の方法。
【請求項１２】
前記シグナリングは、所定の数、ブロードキャスト信号、または無線リソース制御信号に基づいて繰り返される、請求項１または４に記載の方法。
【請求項１３】
前記第２のサブフレーム構成の前記インジケーションの前記シグナリングは、制御チャネル送信を介して行われ、前記制御チャネル送信の少なくとも１つの異なる物理レイヤ特性により繰り返される、請求項１２に記載の方法。
【請求項１４】
第２のサブフレーム構成を示すシグナリングが適切に検出されなかった場合に、基地局との通信を処理するために所定のサブフレーム構成を利用することをさらに備える、請求項４に記載の方法。
【請求項１５】
前記第２のサブフレーム構成は、マルチキャストシグナリングまたはブロードキャストシグナリングの少なくとも１つを介してシグナリングされる、請求項１または４に記載の方法。
【請求項１６】
制御チャネル送信のための１つまたは複数のリソース要素（ＲＥ）のロケーションは、前記第２のサブフレーム構成に依存する、請求項１または４に記載の方法。
【請求項１７】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストするための手段と、
１つまたは複数のユーザ機器（ＵＥ）との通信を処理するために適切な第２のサブフレーム構成を決定するための手段と、
前記１つまたは複数のＵＥに前記第２のサブフレーム構成のインジケーションをシグナリングするための手段、前記第２のサブフレーム構成が、前記第１のサブフレーム構成に基づいて決定された限られた数の有効サブフレーム構成から選択されることを特徴とする、と
を備える装置。
【請求項１８】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信するための手段と、
基地局との通信を処理するために適切な第２のサブフレーム構成を示すシグナリングを受信するための手段と、
前記第２のサブフレーム構成に従って前記基地局と通信するための手段と
を備え、
前記第２のサブフレーム構成は、前記第１のサブフレーム構成に基づいて決定された限られた数の有効サブフレーム構成から選択されることを特徴とする、
装置。
【請求項１９】
ワイヤレス通信のためのプログラム製品であって、請求項１−１５に記載の方法のうちのいずれか１つを行うための命令をその上に記憶したコンピュータ可読媒体を備える、プログラム製品。
【手続補正２】
【補正対象書類名】明細書
【補正対象項目名】００７５
【補正方法】変更
【補正の内容】
【００７５】
[0086]上記は本開示の態様を対象とするが、本開示の他の態様およびさらなる態様は、それの基本的範囲から逸脱することなく考案され得、それの範囲は以下の特許請求の範囲によって決定される。
以下に本願発明の当初の特許請求の範囲に記載された発明を付記する。
［Ｃ１］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストすることと、
１つまたは複数のユーザ機器（ＵＥ）との通信を処理するために適切な第２のサブフレーム構成を決定することと、
前記１つまたは複数のＵＥに前記第２のサブフレーム構成のインジケーションをシグナリングすることと
を備える方法。
［Ｃ２］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ１］に記載の方法。
［Ｃ３］
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
［Ｃ１］に記載の方法。
［Ｃ４］
前記第２のサブフレーム構成は、サブフレーム構成を含む別の情報ブロックメッセージをブロードキャストする前にシグナリングされる、
［Ｃ１］に記載の方法。
［Ｃ５］
前記第２のサブフレーム構成は、専用シグナリングを介して１つまたは複数の個別ＵＥにシグナリングされる、
［Ｃ１］に記載の方法。
［Ｃ６］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ５］に記載の方法。
［Ｃ７］
前記第２のサブフレーム構成は、前記ＰＤＣＣＨまたは前記ｅＰＤＣＣＨの少なくとも１つにおける情報フィールドを介してシグナリングされる、
［Ｃ６］に記載の方法。
［Ｃ８］
前記シグナリングは、前記第２のサブフレーム構成を利用するための持続時間のインジケーションも提供する、
［Ｃ１］に記載の方法。
［Ｃ９］
前記シグナリングは、前記第２のサブフレーム構成がいつ用いられるかのインジケーションも提供する、
［Ｃ１］に記載の方法。
［Ｃ１０］
前記第２のサブフレーム構成は、制御チャネル送信を介してシグナリングされ、
前記第２のサブフレーム構成を示すための前記制御チャネル送信の少なくとも１つの物理レイヤ特性は、前記第２のサブフレーム構成に基づく、
［Ｃ１］に記載の方法。
［Ｃ１１］
前記制御チャネル送信は、制御チャネル復号候補のセットを備え、前記復号候補の第１のサブセットの少なくとも１つの物理レイヤ特性は、前記第２のサブフレーム構成に基づく一方、前記復号候補の第２のサブセットの物理レイヤ特性は、前記第２のサブフレーム構成に基づかない、
［Ｃ１０］に記載の方法。
［Ｃ１２］
前記第２のサブフレーム構成は、マルチキャストシグナリングまたはブロードキャストシグナリングの少なくとも１つを介してシグナリングされる、
［Ｃ１］に記載の方法。
［Ｃ１３］
データチャネル送信または制御チャネル送信の少なくとも１つの１つまたは複数の部分の少なくとも１つの物理レイヤ特性は、前記第２のサブフレーム構成に基づく、
［Ｃ１］に記載の方法。
［Ｃ１４］
制御チャネル送信のための１つまたは複数のリソース要素（ＲＥ）のロケーションは、前記第２のサブフレーム構成に依存する、
［Ｃ１］に記載の方法。
［Ｃ１５］
前記シグナリングは、所定の数、ブロードキャスト信号、または無線リソース制御信号に基づいて繰り返される、
［Ｃ１］に記載の方法。
［Ｃ１６］
ダウンリンクデータ送信に応答したハイブリッド自動再送要求（ＨＡＲＱ）応答のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
［Ｃ１］に記載の方法。
［Ｃ１７］
アップリンクデータ送信のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
［Ｃ１］に記載の方法。
［Ｃ１８］
アップリンクデータ送信に応答したハイブリッド自動再送要求（ＨＡＲＱ）応答または制御チャネルのためのダウンリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
［Ｃ１］に記載の方法。
［Ｃ１９］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信することと、
基地局との通信を処理するために適切な第２のサブフレーム構成を示すシグナリングを受信することと、
前記第２のサブフレーム構成に従って前記基地局と通信することと
を備える方法。
［Ｃ２０］
前記基地局と通信することは、前記基地局からのダウンリンクデータのバーストを備え、
前記第２のサブフレーム構成は、前記第１のサブフレーム構成よりも多くのダウンリンク送信用サブフレームを備える、
［Ｃ１９］に記載の方法。
［Ｃ２１］
前記基地局と通信することは、前記基地局のためのアップリンクデータのバーストを備え、
前記第２のサブフレーム構成は、前記第１のサブフレーム構成よりも多くのアップリンク送信用サブフレームを備える、
［Ｃ１９］に記載の方法。
［Ｃ２２］
前記第２のサブフレーム構成は、サブフレーム構成を含む別のブロードキャスト情報ブロックメッセージを受信する前にシグナリングされる、
［Ｃ１９］に記載の方法。
［Ｃ２３］
前記第２のサブフレーム構成は、専用シグナリングを介してシグナリングされる、
［Ｃ２２］に記載の方法。
［Ｃ２４］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ２３］に記載の方法。
［Ｃ２５］
前記第２のサブフレーム構成は、前記ＰＤＣＣＨまたは前記ｅＰＤＣＣＨの少なくとも１つにおける情報フィールドを介してシグナリングされる、
［Ｃ２４］に記載の方法。
［Ｃ２６］
前記シグナリングは、前記第２のサブフレーム構成を利用するための持続時間のインジケーションも提供する、
［Ｃ１９］に記載の方法。
［Ｃ２７］
前記シグナリングは、前記第２のサブフレーム構成がいつ用いられるかのインジケーションも提供する、
［Ｃ１９］に記載の方法。
［Ｃ２８］
前記第２のサブフレーム構成は、制御チャネル送信を介してシグナリングされ、
前記第２のサブフレーム構成を示すための前記制御チャネル送信の少なくとも１つの物理レイヤ特性は、前記第２のサブフレーム構成に基づく、
［Ｃ１９］に記載の方法。
［Ｃ２９］
前記制御チャネル送信は、制御チャネル復号候補のセットを備え、前記復号候補の第１のサブセットの少なくとも１つの物理レイヤ特性は、前記第２のサブフレーム構成に基づく一方、前記復号候補の第２のサブセットの物理レイヤ特性は、前記第２のサブフレーム構成に基づかない、
［Ｃ２８］に記載の方法。
［Ｃ３０］
データチャネル送信または制御チャネル送信の少なくとも１つの１つまたは複数の部分の少なくとも１つの物理レイヤ特性は、前記第２のサブフレーム構成に基づく、
［Ｃ１９］に記載の方法。
［Ｃ３１］
前記シグナリングは、所定の数、ブロードキャスト信号、または無線リソース制御信号に基づいて繰り返される、
［Ｃ１９］に記載の方法。
［Ｃ３２］
前記第２のサブフレーム構成の前記インジケーションの前記シグナリングは、前記制御チャネル送信の少なくとも１つの異なる物理レイヤ特性により繰り返される、
［Ｃ３１］に記載の方法。
［Ｃ３３］
第２のサブフレーム構成を示すシグナリングが適切に検出されなかった場合に、基地局との通信を処理するために所定のサブフレーム構成を利用することをさらに備える、
［Ｃ１９］に記載の方法。
［Ｃ３４］
前記第２のサブフレーム構成は、マルチキャストシグナリングまたはブロードキャストシグナリングの少なくとも１つを介してシグナリングされる、
［Ｃ１９］に記載の方法。
［Ｃ３５］
制御チャネル送信のための１つまたは複数のリソース要素（ＲＥ）のロケーションは、前記第２のサブフレーム構成に依存する、
［Ｃ１９］に記載の方法。
［Ｃ３６］
ダウンリンクデータ送信に応答したハイブリッド自動再送要求（ＨＡＲＱ）応答のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
［Ｃ１９］に記載の方法。
［Ｃ３７］
アップリンクデータ送信のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
［Ｃ１９］に記載の方法。
［Ｃ３８］
アップリンクデータ送信に応答したハイブリッド自動再送要求（ＨＡＲＱ）応答または制御チャネルのためのダウンリンクサブフレームを示すシグナリングを受信することをさらに備え、ダウンリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
［Ｃ１９］に記載の方法。
［Ｃ３９］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングすることと
を備える方法。
［Ｃ４０］
前記インジケーションをシグナリングすることは、ダウンリンクデータ送信に応答したハイブリッド自動再送要求（ＨＡＲＱ）応答のためのアップリンクサブフレームのインジケーションをシグナリングすることを含む、
［Ｃ３９］に記載の方法。
［Ｃ４１］
前記インジケーションをシグナリングすることは、アップリンクデータ送信のためのアップリンクサブフレームのインジケーションをシグナリングすることを含む、
［Ｃ３９］に記載の方法。
［Ｃ４２］
前記インジケーションをシグナリングすることは、アップリンクデータ送信に応答したハイブリッド自動再送要求（ＨＡＲＱ）応答または制御チャネルのためのダウンリンクサブフレームのインジケーションをシグナリングすることを含む、
［Ｃ３９］に記載の方法。
［Ｃ４３］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信することと、
前記インジケーションに従って前記サブフレームの前記少なくとも１つを処理することと
を備える方法。
［Ｃ４４］
前記インジケーションを受信することは、ダウンリンクデータ送信に応答したハイブリッド自動再送要求（ＨＡＲＱ）応答のためのアップリンクサブフレームのインジケーションを受信することを含む、
［Ｃ４３］に記載の方法。
［Ｃ４５］
前記インジケーションを受信することは、アップリンクデータ送信のためのアップリンクサブフレームのインジケーションを受信することを含む、
［Ｃ４４］に記載の方法。
［Ｃ４６］
前記インジケーションを受信することは、アップリンクデータ送信に応答したハイブリッド自動再送要求（ＨＡＲＱ）応答または制御チャネルのためのダウンリンクサブフレームのインジケーションを受信することを含む、
［Ｃ４３］に記載の方法。
［Ｃ４７］
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングすることと、
前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信することと
を備える方法。
［Ｃ４８］
前記インジケーションをシグナリングすることは、ダウンリンク送信のためのサブフレームに対して、アップリンクＡＣＫ／ＮＡＣＫ送信のためのアップリンクサブフレームのインジケーションをシグナリングすることを含む、
［Ｃ４７］に記載の方法。
［Ｃ４９］
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、前記インジケーションに従って前記サブフレームの前記少なくとも１つを送ることと
を備える方法。
［Ｃ５０］
前記インジケーションを受信することは、ダウンリンク送信のためのサブフレームに対して、アップリンクＡＣＫ／ＮＡＣＫ送信のためのアップリンクサブフレームのインジケーションを受信することを含む、
［Ｃ４９］に記載の方法。
［Ｃ５１］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストするための手段と、
１つまたは複数のユーザ機器（ＵＥ）との通信を処理するために適切な第２のサブフレーム構成を決定するための手段と、
前記１つまたは複数のＵＥに前記第２のサブフレーム構成のインジケーションをシグナリングするための手段と
を備える装置。
［Ｃ５２］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ５１］に記載の装置。
［Ｃ５３］
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
［Ｃ５１］に記載の装置。
［Ｃ５４］
前記第２のサブフレーム構成は、サブフレーム構成を含む別の情報ブロックメッセージをブロードキャストする前にシグナリングされる、
［Ｃ５１］に記載の装置。
［Ｃ５５］
前記第２のサブフレーム構成は、専用シグナリングを介して１つまたは複数の個別ＵＥにシグナリングされる、
［Ｃ５１］に記載の装置。
［Ｃ５６］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ５５］に記載の装置。
［Ｃ５７］
前記第２のサブフレーム構成は、マルチキャストシグナリングまたはブロードキャストシグナリングの少なくとも１つを介してシグナリングされる、
［Ｃ５１］に記載の装置。
［Ｃ５８］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信するための手段と、
基地局との通信を処理するために適切な第２のサブフレーム構成を示すシグナリングを受信するための手段と、
前記第２のサブフレーム構成に従って前記基地局と通信するための手段と
を備える装置。
［Ｃ５９］
前記基地局と通信するための前記手段は、前記基地局からのダウンリンクデータのバーストを介して通信するための手段を備え、
前記第２のサブフレーム構成は、前記第１のサブフレーム構成よりも多くのダウンリンク送信用サブフレームを備える、
［Ｃ５８］に記載の装置。
［Ｃ６０］
前記基地局と通信するための手段は、前記基地局のためのアップリンクデータのバーストを介して通信するための手段を備え、
前記第２のサブフレーム構成は、前記第１のサブフレーム構成よりも多くのアップリンク送信用サブフレームを備える、
［Ｃ５８］に記載の装置。
［Ｃ６１］
前記第２のサブフレーム構成は、サブフレーム構成を含む別のブロードキャスト情報ブロックメッセージを受信する前にシグナリングされる、
［Ｃ５８］に記載の装置。
［Ｃ６２］
前記第２のサブフレーム構成は、専用シグナリングを介してシグナリングされる、
［Ｃ６１］に記載の装置。
［Ｃ６３］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ６２］に記載の装置。
［Ｃ６４］
前記シグナリングは、所定の数、ブロードキャスト信号、または無線リソース制御信号に基づいて繰り返される、
［Ｃ５８］に記載の装置。
［Ｃ６５］
前記第２のサブフレーム構成の前記インジケーションの前記シグナリングは、前記制御チャネル送信の少なくとも１つの異なる物理レイヤ特性により繰り返される、
［Ｃ６４］に記載の装置。
［Ｃ６６］
前記第２のサブフレーム構成は、マルチキャストシグナリングまたはブロードキャストシグナリングの少なくとも１つを介してシグナリングされる、
［Ｃ５８］に記載の装置。
［Ｃ６７］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストするための手段と、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングするための手段と
を備える装置。
［Ｃ６８］
前記インジケーションをシグナリングするための前記手段は、ダウンリンクデータ送信に応答したハイブリッド自動再送要求（ＨＡＲＱ）応答のためのアップリンクサブフレームのインジケーションをシグナリングするための手段を含む、
［Ｃ６７］に記載の装置。
［Ｃ６９］
前記インジケーションをシグナリングするための前記手段は、アップリンクデータ送信のためのアップリンクサブフレームのインジケーションをシグナリングするための手段を含む、
［Ｃ６７］に記載の装置。
［Ｃ７０］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信するための手段と、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信するための手段と、
前記インジケーションに従って前記サブフレームの前記少なくとも１つを処理するための手段と
を備える装置。
［Ｃ７１］
前記インジケーションを受信するための前記手段は、ダウンリンクデータ送信に応答したハイブリッド自動再送要求（ＨＡＲＱ）応答のためのアップリンクサブフレームのインジケーションを受信するための手段を含む、
［Ｃ７０］に記載の装置。
［Ｃ７２］
前記インジケーションを受信するための前記手段は、アップリンクデータ送信のためのアップリンクサブフレームのインジケーションを受信するための手段を含む、
［Ｃ７１］に記載の装置。
［Ｃ７３］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングするための手段と、
前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信するための手段と
を備える装置。
［Ｃ７４］
前記インジケーションをシグナリングするための前記手段は、ダウンリンク送信のためのサブフレームに対して、アップリンクＡＣＫ／ＮＡＣＫ送信のためのアップリンクサブフレームのインジケーションをシグナリングするための手段を含む、
［Ｃ７３］に記載の装置。
［Ｃ７５］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信するための手段と、
前記インジケーションに従って前記サブフレームの前記少なくとも１つを送るための手段と
を備える装置。
［Ｃ７６］
前記インジケーションを受信するための前記手段は、ダウンリンク送信のためのサブフレームに対して、アップリンクＡＣＫ／ＮＡＣＫ送信のためのアップリンクサブフレームのインジケーションを受信するための手段を含む、
［Ｃ７５］に記載の装置。
［Ｃ７７］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストし、１つまたは複数のユーザ機器（ＵＥ）との通信を処理するために適切な第２のサブフレーム構成を決定し、前記１つまたは複数のＵＥに前記第２のサブフレーム構成のインジケーションをシグナリングするように構成される少なくとも１つのプロセッサと、
前記少なくとも１つのプロセッサに結合されたメモリと
を備える装置。
［Ｃ７８］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ７７］に記載の装置。
［Ｃ７９］
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
［Ｃ７７］に記載の装置。
［Ｃ８０］
前記第２のサブフレーム構成は、サブフレーム構成を含む別の情報ブロックメッセージをブロードキャストする前にシグナリングされる、
［Ｃ７７］に記載の装置。
［Ｃ８１］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信し、基地局との通信を処理するために適切な第２のサブフレーム構成を示すシグナリングを受信し、前記第２のサブフレーム構成に従って前記基地局と通信するように構成される少なくとも１つのプロセッサと、
前記少なくとも１つのプロセッサに結合されたメモリと
を備える装置。
［Ｃ８２］
前記少なくとも１つのプロセッサは、前記基地局からのダウンリンクデータのバーストを介して前記基地局と通信するように構成され、
前記第２のサブフレーム構成は、前記第１のサブフレーム構成よりも多くのダウンリンク送信用サブフレームを備える、
［Ｃ８１］に記載の装置。
［Ｃ８３］
前記少なくとも１つのプロセッサは、前記基地局のためのアップリンクデータのバーストを介して前記基地局と通信するように構成され、
前記第２のサブフレーム構成は、前記第１のサブフレーム構成よりも多くのアップリンク送信用サブフレームを備える、
［Ｃ８１］に記載の装置。
［Ｃ８４］
前記第２のサブフレーム構成は、サブフレーム構成を含む別のブロードキャスト情報ブロックメッセージを受信する前にシグナリングされる、
［Ｃ８１］に記載の装置。
［Ｃ８５］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストし、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングするように構成される少なくとも１つのプロセッサと、
前記少なくとも１つのプロセッサに結合されたメモリと
を備える装置。
［Ｃ８６］
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介してシグナリングするように構成される、
［Ｃ８５］に記載の装置。
［Ｃ８７］
前記少なくとも１つのプロセッサは、前記インジケーションを、アップリンクデータ送信のためのアップリンクサブフレームのインジケーションを介してシグナリングするように構成される、
［Ｃ８５］に記載の装置。
［Ｃ８８］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信し、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信し、前記インジケーションに従った前記サブフレームの前記少なくとも１つを処理するように構成される少なくとも１つのプロセッサと、
前記少なくとも１つのプロセッサに結合されたメモリと
を備える装置。
［Ｃ８９］
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介して受信するように構成される、
［Ｃ８８］に記載の装置。
［Ｃ９０］
前記少なくとも１つのプロセッサは、前記インジケーションを、アップリンクデータ送信のためのアップリンクサブフレームのインジケーションを介して受信するように構成される、
［Ｃ８９］に記載の装置。
［Ｃ９１］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングし、前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信するように構成される少なくとも１つのプロセッサと、
前記少なくとも１つのプロセッサに結合されたメモリと
を備える装置。
［Ｃ９２］
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介してシグナリングするように構成される、
［Ｃ９１］に記載の装置。
［Ｃ９３］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信し、前記インジケーションに従って前記サブフレームの前記少なくとも１つを送るように構成される少なくとも１つのプロセッサと、
前記少なくとも１つのプロセッサに結合されたメモリと
を備える装置。
［Ｃ９４］
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介して受信するように構成される、
［Ｃ９３］に記載の装置。
［Ｃ９５］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストし、１つまたは複数のユーザ機器（ＵＥ）との通信を処理するために適切な第２のサブフレーム構成を決定することと、
前記１つまたは複数のＵＥに前記第２のサブフレーム構成のインジケーションをシグナリングすることと
を行うための命令をその上に記憶したコンピュータ可読媒体を備える、プログラム製品。
［Ｃ９６］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ９５］に記載のプログラム製品。
［Ｃ９７］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信することと、
基地局との通信を処理するために適切な第２のサブフレーム構成を示すシグナリングを受信することと、
前記第２のサブフレーム構成に従って前記基地局と通信することと
を行うための命令をその上に記憶したコンピュータ可読媒体を備えるプログラム製品。
［Ｃ９８］
前記通信することは、前記基地局からのダウンリンクデータのバーストを介して前記基地局と通信することを備え、
前記第２のサブフレーム構成は、前記第１のサブフレーム構成よりも多くのダウンリンク送信用サブフレームを備える、
［Ｃ９７］に記載のプログラム製品。
［Ｃ９９］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングすることと
を行うための命令をその上に記憶したコンピュータ可読媒体を備える、プログラム製品。
［Ｃ１００］
前記インジケーションをシグナリングすることは、ダウンリンクデータ送信に応答したハイブリッド自動再送要求（ＨＡＲＱ）応答のためのアップリンクサブフレームのインジケーションを介したものである、
［Ｃ９９］に記載のプログラム製品。
［Ｃ１０１］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信することと、
前記インジケーションに従って前記サブフレームの前記少なくとも１つを処理することと
を行うための命令をその上に記憶したコンピュータ可読媒体を備える、プログラム製品。
［Ｃ１０２］
前記インジケーションを受信することは、ダウンリンクデータ送信に応答したハイブリッド自動再送要求（ＨＡＲＱ）応答のためのアップリンクサブフレームのインジケーションを介したものである、
［Ｃ１０１］に記載のプログラム製品。
［Ｃ１０３］
ワイヤレス通信のためのプログラム製品であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングすることと、
前記インジケーションに従った前記サブフレームの前記少なくとも１つを、サブフレーム構成に気づいていないユーザ機器（ＵＥ）から受信することと、
サブフレームのセットのうちのどのサブフレームがアップリンク送信用であるか、またはサブフレームの前記セットのうちのどのサブフレームがダウンリンク送信用であるかの少なくとも１つを示すことと
を行うための命令をその上に記憶したコンピュータ可読媒体を備える、プログラム製品。
［Ｃ１０４］
前記インジケーションをシグナリングすることは、ダウンリンク送信のためのサブフレームに対して、アップリンクＡＣＫ／ＮＡＣＫ送信のためのアップリンクサブフレームのインジケーションを介したものである、
［Ｃ１０３］に記載のプログラム製品。
［Ｃ１０５］
ワイヤレス通信のためのプログラム製品であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、
前記インジケーションに従って前記サブフレームの前記少なくとも１つを送ることと
を行うための命令をその上に記憶したコンピュータ可読媒体を備える、プログラム製品。
［Ｃ１０６］
前記インジケーションを受信することは、ダウンリンク送信のためのサブフレームに対して、アップリンクＡＣＫ／ＮＡＣＫ送信のためのアップリンクサブフレームのインジケーションを介したものである、
［Ｃ１０５］に記載のプログラム製品。